(57)【要約】      （修正有）【課題】選択する要素を多くするため、直感的に選択できるために画面を拡大仮想化するシステムを提供する。【解決手段】実際の画面の中の選択要素を選ぶ「デバイス甲」と、実際の画面を拡大された仮想の画面の右か左か選ぶ「デバイス乙」を備える。「デバイス乙」により選択要素を含む画面を選び、「デバイス甲」により画面の中の選択要素を選ぶ。【選択図】図７
2011222032.tif 000002
【特許請求の範囲】
【請求項１】
図３から図７までの拡大された仮想の画面を選択操作するシステム。
【請求項２】
請求項１における「デバイス乙」を左右のボタンにすること。
【請求項３】
請求項１における「デバイス乙」を右クリック押しながらマウスを左右に動かすにすること。
【請求項４】
請求項１における「デバイス乙」を左右の２つのクリックを押しながらマウスを左右に動かすにすること。
【請求項５】
請求項１の関係を上下関係にした場合。
【請求項６】
請求項２の関係を上下関係にした場合。
【請求項７】
請求項３の関係を上下関係にした場合。
【請求項８】
請求項４の関係を上下関係にした場合。
【請求項９】
請求項１の関係を図１４の関係にした場合。
【請求項１０】
請求項９における「デバイス乙」を上・下・左・右・真ん中・右斜め前・右斜め下・左斜め下・左斜め上のボタンにすること。。
【請求項１１】
請求項９における「デバイス乙」を右クリック押しながらマウスを操作するにすること。
【請求項１２】
請求項９における「デバイス乙」を左右の２つのクリックを押しながらマウスを操作するにすること。
【請求項１３】
請求項１の関係を図１５の関係にした場合。
【請求項１４】
請求項１３における「デバイス乙」を上下左右のボタンにすること。。
【請求項１５】
請求項１３における「デバイス乙」を右クリック押しながらマウスを上下左右に動かすにすること。
【請求項１６】
請求項１３における「デバイス乙」を左右の２つのクリックを押しながらマウスを上下左右に動かすにすること。
【請求項１７】
請求項１３における図１６のようなメニューの位置。
【請求項１８】
請求項１３における図１７のようなメニューの位置。
【発明の詳細な説明】
【技術分野】
【０００１】本発明は、カーソルの選択する要素を多くるするために、画面を拡大仮想化することにより解決するものである。
【背景技術】
【０００２】従来の画面は狭かった。画面に入りきらない要素は複雑な手段をとって表示していた。
【発明の概要】
【課題を解決するための手段】
【０００３】図１の１２３４５６は選択要素でありそれぞれ独立した要素である。形や大きさは図のとおりである。図１の実線の四角は画面である。
１２３４５６を画面に表示させようとすると図２のように４５６が表示できない。
図３のように画面を拡大し仮想化する。点線の四角が拡大された仮想の画面である。
拡大し仮想化するとは画面を従来の大きさより大きくするが実際に画面を大きくするのではなく仮に想像上の画面として大きくすることである。
図４のように実際の画面を拡大された仮想の画面の右か左か選べるようにする。
左を選べば図５になり、右を選べば図６になる。１２３４５６を表示させると図７や図８になる。
実際の画面の中の１２３４５６を選ぶデバイスを「デバイス甲」とし、実際の画面を拡大された仮想の画面の右か左か選ぶデバイスを「デバイス乙」とする。「デバイス甲」は図７においては１２３しか選べず、図８においては４５６しか選べない。「デバイス乙」は図７の状態か図８の状態しか選べない。
ここでデバイスとはマウスや十字キー等である。デバイスをマウス甲、マウス乙と２つ用意してもよいし、マウス１つに切り替えボタン等を用意してマウス甲乙と２つの機能を１つのデバイスに持たすこともできる。
例えば「デバイス甲」をマウスにし「デバイス乙」を右ボタン左ボタンにする。「デバイス甲」と「デバイス乙」の機能を１つのマウスにもたし、通常のマウス操作は「デバイス甲」の役割を、右クリック押しながらマウスを左右に動かす時を「デバイス乙」の役割にする。又は左右の２つのクリックを押しながらマウスを左右に動かすとき「デバイス乙」の役割を持たす等である。
図９図１０図１１図１２図１３は図４図５図６図７図８を上下関係にしたものである。
図１４のように拡大された仮想の画面を複数用意し（点線の四角を９個正方形に並べた）「デバイス乙」により９個の中から１つ実際の画面を選ぶ。
図１５は拡大された仮想の画面を十字に並べ中心の画面をぬく。言い換えると点線の四角５個を十字に並べ中心の１個を取り除く（４個になる）。言い換えると点線の四角４個を十字に並べる。図１５では点線の四角が５つ十字に並べて見えるが真ん中の点線の四角はない（点線の四角は４個しかない）。
この並びだと「デバイス乙」を十字にのみしか操作できないようにすれば右、左、上、下の操作にそれぞれの操作に割り当てられる画面が１つづつになる。又、「デバイス乙」を十字にのみしか操作できないようにという点を時計回り反時計回りにしか操作できないようにした場合は中心を軸に時計回り反時計回りで選ぶ。
図１６、図１７は図１５の時のメニューの位置である。楕円形がメニューである。
【発明の効果】
【０００４】直感的に複数の要素を早く選択できる。
【図１】
2011222032.tif 000003
【図２】
2011222032.tif 000004
【図３】
2011222032.tif 000005
【図４】
2011222032.tif 000006
【図５】
2011222032.tif 000007
【図６】
2011222032.tif 000008
【図７】
2011222032.tif 000009
【図８】
2011222032.tif 000010
【図９】
2011222032.tif 000011
【図１０】
2011222032.tif 000012
【図１１】
2011222032.tif 000013
【図１２】
2011222032.tif 000014
【図１３】
2011222032.tif 000015
【図１４】
2011222032.tif 000016
【図１５】
2011222032.tif 000017
【図１６】
2011222032.tif 000018
【図１７】
2011222032.tif 000019
【手続補正書】
【提出日】平成23年7月1日(2011.7.1)
【手続補正２】
【補正対象書類名】明細書
【補正対象項目名】全文
【補正方法】変更
【補正の内容】
【発明の詳細な説明】
【技術分野】
【０００１】本発明は、カーソルの選択する要素を多くるするために、画面を拡大仮想化することにより解決するものである。
【背景技術】
【０００２】従来の画面は狭かった。画面に入りきらない要素は複雑な手段をとって表示していた。
【発明の概要】
【課題を解決するための手段】
【０００３】図１の１２３４５６は選択要素でありそれぞれ独立した要素である。形や大きさは図のとおりである。図１の実線の四角は画面である。
１２３４５６を画面に表示させようとすると図２のように４５６が表示できない。
図３のように画面を拡大し仮想化する。点線の四角が拡大された仮想の画面である。
拡大し仮想化するとは画面を従来の大きさより大きくするが実際に画面を大きくするのではなく仮に想像上の画面として大きくすることである。
図４のように実際の画面を拡大された仮想の画面の右か左か選べるようにする。
左を選べば図５になり、右を選べば図６になる。１２３４５６を表示させると図７や図８になる。
実際の画面の中の１２３４５６を選ぶデバイスを「デバイス甲」とし、実際の画面を拡大された仮想の画面の右か左か選ぶデバイスを「デバイス乙」とする。「デバイス甲」は図７においては１２３しか選べず、図８においては４５６しか選べない。「デバイス乙」は図７の状態か図８の状態しか選べない。
ここでデバイスとはマウスや十字キー等である。デバイスをマウス甲、マウス乙と２つ用意してもよいし、マウス１つに切り替えボタン等を用意してマウス甲乙と２つの機能を１つのデバイスに持たすこともできる。
例えば「デバイス甲」をマウスにし「デバイス乙」を右ボタン左ボタンにする。「デバイス甲」と「デバイス乙」の機能を１つのマウスにもたし、通常のマウス操作は「デバイス甲」の役割を、右クリック押しながらマウスを左右に動かす時を「デバイス乙」の役割にする。又は左右の２つのクリックを押しながらマウスを左右に動かすとき「デバイス乙」の役割を持たす等である。
図９図１０図１１図１２図１３は図４図５図６図７図８を上下関係にしたものである。
図１４のように拡大された仮想の画面を複数用意し（点線の四角を９個正方形に並べた）「デバイス乙」により９個の中から１つ実際の画面を選ぶ。
図１５は拡大された仮想の画面を十字に並べ中心の画面をぬく。言い換えると点線の四角５個を十字に並べ中心の１個を取り除く（４個になる）。言い換えると点線の四角４個を十字に並べる。図１５では点線の四角が５つ十字に並べて見えるが真ん中の点線の四角はない（点線の四角は４個しかない）。
この並びだと「デバイス乙」を十字にのみしか操作できないようにすれば右、左、上、下の操作にそれぞれの操作に割り当てられる画面が１つづつになる。又、「デバイス乙」を十字にのみしか操作できないようにという点を時計回り反時計回りにしか操作できないようにした場合は中心を軸に時計回り反時計回りで選ぶ。
図１６、図１７は図１５の時のメニューの位置である。楕円形がメニューである。
【発明の効果】
【０００４】直感的に複数の要素を早く選択できる。
【図面の簡単な説明】
【０００５】
【図１】選択要素と画面の図
【図２】選択要素を画面に表示させた図
【図３】拡大された仮想の画面の図
【図４】実際の画面を拡大された仮想の画面の右か左か選ぶ図
【図５】図４において左を選んだ場合の図
【図６】図４において右を選んだ場合の図
【図７】図５において選択要素を表示させた場合の図
【図８】図６において選択要素を表示させた場合の図
【図９】実際の画面を拡大された仮想の画面の上か下か選ぶ図
【図１０】図９において下を選んだ場合の図
【図１１】図９において上を選んだ場合の図
【図１２】図１０において選択要素を表示させた場合の図
【図１３】図１１において選択要素を表示させた場合の図
【図１４】拡大された仮想の画面を複数用意し（点線の四角を９個正方形に並べた）「デバイス乙」により９個の中から１つ実際の画面を選ぶ図
【図１５】拡大された仮想の画面を十字に並べ中心の画面をぬく。言い換えると点線の四角５個を十字に並べ中心の１個を取り除く（４個になる）。その中から「デバイス乙」により４個の中から１つ実際の画面を選ぶ図
【図１６】図１５におけるメニューの位置の図
【図１７】図１５におけるメニューの位置の図